(57)【要約】【課題】掘削時に排出される余剰液の吸い込み装置において、粘土だま等に関係なく、泥水泥土を継続して吸い込むことを可能にする発生泥土吸い込み装置を提供することを課題とする。【解決手段】吸い込み口２４を上向きにし、その上方に内側フィルター２２を固設し、その外周にモータＭにより回転駆動し粘土だま等を搬送すると共にスクレーパ作用を有するリボンスクリュー２３を設け、内側フィルター２２より目の粗い外側フィルター２１をこのリボンスクリュー２３の外側に固設したことを特徴とする。【選択図】  図１
2004176509.tif 000002
【特許請求の範囲】
【請求項１】
掘削機の掘削ヘッドから吐出される固化剤液と掘削機により掘削された掘削原位置土とを混合攪拌して地中壁等を造成するソイルセメントミキシング工法に用いられる吸い込み装置であって、掘削攪拌中に排出される泥水状の余剰液を吸引する吸い込み口を上向きとすることを特徴とする余剰液吸い込み装置。
【請求項２】
掘削機の掘削ヘッドから吐出される固化剤液と掘削機により掘削された掘削原位置土とを混合攪拌して地中壁等を造成するソイルセメントミキシング工法に用いられる吸い込み装置であって、吸い込み口の上方に内側フィルターを固設し、その外周をモータにより回転駆動するリボンスクリューを設け、内側フィルターより目の粗いフィルターをこのリボンスクリューの外側に固設したことを特徴とする余剰液吸い込み装置。
【発明の詳細な説明】
【０００１】
【発明の属する技術分野】
本発明は、ソイルセメントミキシング工法において、掘削攪拌時に排出される泥水泥土を吸引して回収するための最適な吸い込み装置に係わり、特に吸い込みヘッドを改良した吸い込み装置に関する。
【０００２】
【従来の技術】
大規模開削工事において、止水性山留壁として近年ソイルセメントミキシング工法による連続壁造成が一般に行われている。
【０００３】
このソイルセメントミキシング工法は、掘削原位置土とセメント系固化剤液とを掘削機による掘削時に混合攪拌して地中壁（又は杭）を造成するものであり、造成される地中壁の均一性の確保、及び応力材の挿入性の向上、並びに掘削機への負荷軽減のために造成対象土単位体積当たり５０〜９０％程度のセメント系固化剤液の注入を必要とするのが一般的である。
【０００４】
そのため前記セメント系固化剤液の注入量に比例する形で泥水状の余剰液が発生し、多くの場合これを自然乾燥させて後産業廃棄物として処理するようになされている。
【０００５】
しかし、このような廃棄処理では、余剰の固化剤液又は混合土を産業廃棄物として処理する工程が必要となり、その産業廃棄物処理対策が極めて大きな負担となっていた。
【０００６】
このような廃棄処理に伴う負担を取除き、余剰液を回収してリサイクルし、固化剤液に有効利用を図る技術が開発され、実用に供されている。
【０００７】
上記余剰液リサイクルプラントにおいては、図２に例示するように掘削機１の掘削ロッド２の近傍に吸い込み装置３を設置し、この吸い込み装置３の吸い込みヘッド４により掘削中に発生してピット内に溢出する泥水状の余剰液ＡをポンプＰにより吸引して分離装置に送り、ここで振動スクリーンとサイクロンとで固化材余剰液と土砂とを分離した後プラントへ送り、固化剤余剰液の再利用を図るようにしている。
【０００８】
上記吸い込み装置３は、図３に拡大図面を示すように、ポンプＰに接続されたホース６の吸い込み口７に泥水泥土に含まれる礫や鉄筋、木片等の固形物を吸い込んでポンプＰを損傷させたり詰まりを生じさせないようにするため、吸い込みヘッド４にメッシュ材で囲まれた篭状フィルター、所謂「蛇篭」と称されるフィルター８が取り付けられ、このフィルター８により上記固形物の吸い込みを防ぐようになされている。
【０００９】
また上記吸い込みヘッド４のフィルター８内には、モータＭにより回動される撹拌軸９が垂下され、この攪拌軸９にその半径方向に突設された撹拌羽根１０，１０…とフィルター８の内周面に固設された固定羽根１１，１１とにより固化材余剰液Ａを攪拌して吸い込み効率を高めるようにしている。
【００１０】
しかるに上記従来の吸い込み装置３では、図３に示しているように吸い込み時に粘土だまや木片等が吸引されてフィルター８のメッシュが目詰まりして吸い込み不良を起こし、また余剰液の吸い込み口が下向きであるためフィルター底部に上記目詰まりと相俟ってフィルターを通過した小径の粘土だま等が沈降しフィルターの有効面積を更に低下させるため、その都度これら付着物Ｃ及び沈降物Ｄをを除去するための清掃作業を強いられ、その作業が容易でない上固化剤余剰液の回収作業を中断しなければならず、作業能率の低下を招くという問題があった。
【００１１】
この目詰まりによる吸い込み不良対策として、例えば特願２００２−１６１４０２号では攪拌軸９や撹拌羽根１０を偏心させるようにし、偏心回転によるフィルターの振動により、フィルターの外周面の粘土だま等の付着物を振り落とす提案がなされている。
【００１２】
【発明が解決しようとする課題】
しかしながら、上記方法は吸い込み継続時間を確かに延命させることができるが、根本的な解決方法ではなく、ピット５内に蓄積される粘土だま等を一定時間毎に固化剤余剰液の回収作業を中断し、除去清掃する必要があった。
【００１３】
本発明はこれに鑑み、粘土だま等に関係なく、泥水泥土の吸い込みを継続して可能にする発生泥土吸い込み装置を提供することを課題としてなされたものである。
【００１４】
【課題を解決しようとする手段】
上記課題を解決する手段として本発明は、掘削機の掘削ヘッドから吐出される固化剤液と掘削機により掘削された掘削原位置土とを混合攪拌して地中壁等を造成するソイルセメントミキシング工法に用いられる吸い込み装置であって、掘削攪拌中に排出される泥水状の余剰液を吸引する吸い込み装置において、吸い込み口を上向きにし、その上方に内側フィルターを固設し、その外周にモータにより回転駆動すると共にスクレーパ作用を有するリボンスクリューを設け、内側フィルターより目の粗いフィルターをこのリボンスクリューの外側に固設したことを特徴とする。
【００１５】
このようにすることにより、木片等のより大きな障害物は外側フィルターにて進入を防止し、外側フィルターは通過できるが内側フィルターは通過できない、従来装置ではフィルターに付着し目詰りを起こしていた粘土だま等の一部を回転するリボンスクリューと内側フィルターとのスクレーパ作用にて、又その他の部分はリボンスクリューの搬送作用により強制的に下方の送り、リボンスクリュー底部と内側フィルターの鍔の部分とのスクレーパ作用にて細粒化し、内側フィルターを通過させる。このため、従来装置にて行われていた付着物によるフィルターの目詰まりを取除くための清掃作業を省くことができ作業効率が大幅に改善される。
【００１６】
【発明の実施の形態】
以下、本発明を図面に示す実施の形態を参照し、図１及び掘削時の余剰液の吸い込み態様の一例を示す説明図である図２を併用して説明する。
【００１７】
図１−１は本発明に係わる余剰液吸い込み装置の構造の縦断面図、図１−２はＢ矢視断面図を示すもので、この吸い込みヘッド２０は、上部にモータＭ、下部に余剰液吸い込み口及び吸引ポンプに繋がる搬送用ホース２５を擁し、外側に内側より目の粗い所定の穴径を有する金網等のメッシュ材による円筒状外側フィルター２１で囲われ、その内部に外側フィルター２１より目の細かい所定の穴径を有する鍔付円筒状内側フィルター２２とその周りをモータＭの駆動力によって回動するリボンスクリュー２３から構成されている。
【００１８】
尚、内側フィルターの穴径は吸い込み装置３のポンプＰに支障をきたさないように所定の穴径に設定されている。また、外側フィルター２１の穴径は木片等の大きな障害物を取除くに適した穴径に設定されており、リボンスクリュー２３の間隔をこの穴径に合わせるようにしてある。
【００１９】
次に実施の形態の作用を説明する。
【００２０】
吸い込み装置３に吸い込みヘッド２０を装着して掘削機の近傍のピット５内に吊下げ、モータＭを起動してリボンスクリュー２３を回動させると、外側フィルター２１を通過した所定の大きさまでの粘土だま等を含む余剰液の多くはリボンスクリュー２３部を通って内側フィルターを通過する。
【００２１】
ここで、内側フィルター２２をそのままでは通過できない大きさを有する粘土だま等の一部は回転するリボンスクリュー２３と内側フィルター２２とのスクレーパ作用にて、又その他の部分はリボンスクリュー２３の搬送作用により強制的に下方の送られ内側フィルター２２の鍔の部分とのスクレーパ作用にて細粒化され内側フィルター２２を通過する。
【００２２】
そして、内側フィルター２２を通過した余剰液は吸い込み口２４が上向きであることにより、粘土だま等が底部に沈降堆積することなく、ホース２５を通りポンプＰ経由して分離装置へ送られることとなる。
【００２３】
これらにより、内側フィルター２２を吸い込み作業の途中で清掃することなく、余剰液の回収作業の作業能率が著しく高められることとなる。
【００２４】
【発明の効果】
以上説明したように本発明によれば、従来余剰液吸い込み装置のフィルターに付着し吸い込み不良の原因になっていた粘土だま等が、回転するリボンスクリューと内側フィルターとのスクレーパ作用及びリボンスクリューの搬送作用により強制的に下方の送られ内側フィルターの鍔の部分とのスクレーパ作用により細粒化され内側フィルターを通過するので、内側フィルターは目詰まりを起こすことなく、又吸い込み口が上向きであることにより内側を通過した粘土だま等が従来法のようにフィルター内で沈降し余剰液の吸い上げに支障をきたすことなく、余剰液の連続的な吸い込みを可能とする。
【図面の簡単な説明】
【図１】本発明による余剰液吸い込み装置の一実施形態を示す断面図。
【図２】掘削時の余剰液の吸い込み態様の一例を示す説明図。
【図３】従来の吸い込み装置を示す断面図。
【符号の説明】
１  掘削機
２  掘削ロッド
３  吸い込み装置
４、２０  吸い込みヘッド
８  フィルター
２１  外側フィルター
２２  内側鍔付フィルター
２３  リボンスクリュー
２４  吸い込み口
【図１】
2004176509.tif 000003
【図２】
2004176509.tif 000004
【図３】
2004176509.tif 000005